(57)【要約】【課題】  本考案は、家庭の窓、扉等に高価な設置工事或いは装置を設けることなく、センサー付のユニットを窓枠にセットするだけで窓の開閉を自動化し、室内の換気の促進を図り、環境に適応した低コストの窓自動開閉ユニットを提供する。【解決手段】  合成樹脂製ケーシング内部に、温度センサー、湿度センサー或いはタイマー等により起動されるる直流モータ及び該モータにより回動される歯車から構成された駆動部と、前記駆動部を介して駆動される稼動ベルトローラから構成された水平移動部を収納すると共に、該水平移動部材の先端部に係合部材を設けるように構成した。【選択図】  図１
0003116166.tif 000002
【実用新案登録請求の範囲】
【請求項１】
合成樹脂製ケーシング内部に、温度センサー、湿度センサー等或いはタイマーにより起動される直流モータ及び該モータにより回動される歯車から構成された駆動部と、前記駆動部を介して駆動される稼動ベルトローラから構成された水平移動部とを収納していることを特徴とする窓自動開閉ユニット。
【請求項２】
前記駆動部を起動させる温度センサー、湿度センサー等或いはタイマーはセンサーユニットに内蔵され、該ユニットはケーシングに取外し自在に構成されていることを特徴とする請求項１に記載の窓自動開閉ユニット。
【請求項３】
前記水平移動部の先端部に係合部材を備えたことを特徴とする請求項１或いは請求項２に記載の窓自動開閉ユニット。
【考案の詳細な説明】
【技術分野】
【０００１】  本考案は、主として家庭用の窓、扉等の自動開閉に関するものである。
【背景技術】
【０００２】  従来、オフィスビルの窓、扉或いは自動車の窓ガラス等の自動開閉装置に関する技術は例示するまでもなく周知である。
一方、家庭用の窓、扉等の開閉は殆どが手動によるものであり、稀にオフィスビル等の窓自動開閉装置を設置することもある。
【考案の開示】
【考案が解決しようとする課題】
【０００３】しかしながら、一般家庭において、窓、扉等の開閉に自動装置を装備することは設備上の問題、コストの面から不都合が生じる。
そこで、家庭の窓、扉等に高価な設置工事あるいは装置を設けることなく、センサー付のユニットを窓枠にセットするだけで窓の開閉を自動化し、室内の換気の促進を図り、環境に適応した低コストの窓自動開閉ユニットを創案することで解決した。
【課題を解決するための手段】
【０００４】  本考案は、合成樹脂製ケーシング内部に、温度センサー、湿度センサー或いはタイマー等により起動されるる直流モータ及び該モータにより回動される歯車から構成された駆動部と、前記駆動部を介して駆動される稼動ベルトローラから構成された水平移動部を収納すると共に、該水平移動部材の先端部に係合部材を設けることで解決した。
【考案の効果】
【０００５】  上述したように、本考案の窓自動開閉ユニットには、合成樹脂製ケーシング内部に、温度センサー或いはタイマーにより起動される直流モータ及び該モータ駆動軸に嵌合された歯車介して駆動されるベルトローラが収納されているので、交流電源からの配線設備を行うことなく、ユニット本体を家庭の窓枠或いは扉等に設置し、稼動ベルトローラ先端部に備えられた係合部材を窓枠の係止部材に係合するだけの簡単な作業でセットでき、その際、窓の開閉ストロークを窓枠のサイズに応じて適宜設定し外気の取入れ量を調節できるので、好適な環境が維持される利点がある。
また、センサーユニットには温度センサー、湿度センサー、人体感知センサー、騒音センサー等或いはタイマーが内蔵されているので、家庭環境に応じた各種センサーの選択ができ高齢者、病弱者或いは乳幼児等の健康管理に寄与する。
さらに、ユニットはコンパクトに形成されているので季節に応じて不使用時には押入れ、物置等に格納することが出来る等の効果がある。
【考案を実施するための最良の形態】
【０００６】  ケーシング本体は上部・下部ケーシングからなり合成樹脂で一体に成型され、その形状は正面視略凸状形状で内部は中空である。前記ケーシングの上部には駆動源として充電可能な乾電池を備えた直流モータが配備され、該モータの回動軸先端部には合成樹脂製の歯車が嵌合されている。直流モータは窓の開閉動作に耐えられるよう、歯車の緩やかな回動に対応できるトルクの大きいモータが採用される。該モータの近辺には窓に鍵が掛けられている状態で稼動ベルトローラを動作させた場合、モータの焼損防止に有効に機能する自動復帰可能な過電流検知部品が配置されている。【０００７】  また、上部ケーシングの一側壁には前記モータの起動・運転を司る電源スイッチ、駆動ベルトローラの押出し・引戻し操作用スイッチ、保守或いは通常動作に切り換えるスイッチ等が配置されると共に、電池パックまたはＡＣアダプター接続用の電源ジャック口及び温度センサー、湿度センサー、人体感知センサーあるいはタイマー等を内蔵したセンサーユニットのケーブルを挿入するセンサー口が設けられている。【０００８】  一方、ケーシング下部には上記歯車の歯と噛合する凹凸の歯を備えたゴム或いは合成樹脂製の稼動ベルトローラが、その先端上部に引戻しリミットレバー、後端上部に押出しリミットレバー、そして先端部に移動窓枠と係合する着脱自在なフック等の係止具を備え夫々一体に成型されている。
また、ケーシング上部及び下部接合部付近には前記引戻しリミットレバー及び押出しリミットレバーと接触して、稼動ベルトローラの移動範囲を制御する引戻しリミットスイッチ及び押出しリミットスイッチが各々設けられている。【０００９】  ケーシング下部底部には、金属或いは合成樹脂からなる固定台座及び該固定台座に移動可能なＬ形状の稼動ベルト台座が載置されており、Ｌ形状の内部側壁に上記稼動ベルトローラが固定接着シート、接着剤等により並列に重合積層されている。
さらに、ケーシング下部の底部裏面には固定接着シートが貼付されてあり、ケーシングを窓ガラス扉等の窓枠の適宜位置に固定するものである。【００１０】  このような構成において、保守・通常スイッチを利用し、事前設定を行い、室温或いは湿度の変化に応じて温度或いは湿度センサーの作動、またはタイマーの起動によりモータ、歯車が駆動し、窓枠と結合されている駆動ベルトローラがケーシング内に引戻され、窓が開放される。一方、窓の閉鎖は室内の環境に応じて通常スイッチが作動して自動閉鎖される。
【実施例】
【００１１】  以下、図面に従って実施例を説明する。
第１図〜第４図は引き戸窓に本考案の基本構成を適用した実施例を示すものである。
１は正面視凸形状のケーシングであり合成樹脂により一体形成され、前記ケーシング１の上部１１ケーシングの空間部には直流モータ２が収納され、該直流モータ２の駆動軸２１先端部には合成樹脂製歯車３が嵌合され、該歯車３はケーシング下部１２の空間部に配置されている。【００１２】  上部ケーシング１１の一外側壁には直流モータ２の駆動・制御を司る電源スイッチＳＷ１、押出し・引戻しスイッチＳＷ２、保守・通常スイッチＳＷ３が設けられており、また該ケーシング１１の頂部にはセンサーユニット口１１Ａ、他の一外壁には電池パックまたはＡＣアダプター接続用の電源ジャック口１１Ｂが設けられる。なお、スイッチ、ユニット口等の設置位置はこれに限定されるものではない。【００１３】  ケーシング下部１２には、前記歯車３の駆動を伝動する合成樹脂或いはゴムからなる稼動ベルトローラ４が凹凸状に形成された歯を備え、その先端上部には引戻しリミットレバー４１及び後端上部に押出しリミットレバー４２が各々設けられている。
また、前記ローラ４の先端部には孔４３が穿設され、該孔４３はフック等の係合具４４を着脱自在に係合する係合用孔である。【００１４】  上部ケーシング１１とケーシング下部１２の接合部付近において、該ケーシング下部１２の一側壁には前記引戻しリミットレバー４１及び押出しリミットレバー４２とが接触して稼動ベルトローラ４の移動制御を司る引戻しリミットスイッチ２２及び押出しリミットスイッチ２３が夫々設けられている。【００１５】  ケーシング下部１２底部には、金属或いは合成樹脂からなる固定台座５及び該固定台座５に移動可能なＬ形状の稼動ベルト台座６が載置されており、Ｌ形状の内部側壁に上記稼動ベルトローラ４が固定接着シート、接着剤等により並列に重合積層されている。
さらに、ケーシング下部１２の底部裏面には固定接着シートが貼付されてあり、ケーシングを窓ガラス、扉等の窓枠の適宜位置に固定するものである。【００１６】  センサーユニット７は、温度センサー、湿度センサー、騒音センサー、人体感知センサー等或いはタイマーを内蔵したユニットであり、センサーユニット口１１Ａを介して配線されケーシング上部１１に載置されている。なお、センサーの選択は個々の家庭の環境条件に応じて選択されるように設計されている。
また、電源ジャック口１１Ｂはモータ２の駆動用の乾電池パック或いは充電用アダプター差込口である。【００１７】  引き戸窓８の窓枠８１の底部近辺には稼動ベルトローラ４の先端部に係合されたフック４４と係合される孔を設けた合成樹脂或いは板金製の薄板からなる係合板８２が取付けられている。これにより窓８は引戻しの際には図４（Ａ）のように、また押出しの際には同（Ｂ）のように作動するのである。
なお、実施例は引き戸窓に窓自動開閉ユニットを設置しているが、蝶番式窓に適用しても窓の回動が可能である。【００１８】  本考案は以上のような構成により、使用者はユニットを設置し、保守・通常スイッチＳＷ３を利用し、事前設定を行う。
センサーユニット口１１Ａにセットされているセンサーユニット７内の温度センサー、湿度センサー等或いはタイマーが作動し、稼動ベルトローラ４が引戻し方向に動作して窓８の開放が始まり、該ローラ４の後端部に設けられた引戻しリミットレバー４１が引戻しリミットスイッチ２２と接触し、稼動ベルトローラ４が所定位置で自動停止する。
これにより窓８が開放され十分な換気が行われる。換気された後、室内の温度設定値等により駆動ベルトローラ４が再び押出され窓が閉じられる。【００１９】  上述したように、本考案の窓自動開閉ユニットは駆動部及び走行部がケーシング内部に収納されているので、従来のように窓枠等にラック、ピニオン等の設備或いは交流電源からの配線工事等を必要とせず、直流モータを動力源とすることでコンパクトで、低コストの窓自動開閉が得られるので家庭用の窓、扉等に簡単に設置が可能になった。
なお、本考案は実施例の形態の構成に限定されるものではなく、本考案の要旨の範囲内で種々の変形が可能である。
【図面の簡単な説明】
【００２０】
【図１】  本考案の窓自動開閉ユニットの実施例を示す斜視図
【図２】  同駆動部及び水平移動部を示す斜視図
【図３】  （Ａ）  同移動部材が押出された状態を示す図  （Ｂ）  同移動部材が引戻されている状態を示す図  （Ｃ）  同移動部材が引戻された状態を示す図
【図４】  （Ａ）  同係合部材を窓枠に結合して引戻し状態を示す図  （Ｂ）  同係合部材を窓枠に結合して押出し状態を示す図
【符号の説明】
【００２１】  １      ケーシング
２      モータ
３      歯車
４      稼動ベルトローラ
５      ベルト台座
６      稼動ベルト台座
７      センサーユニット
８      窓
１１    上部ケーシング
１１Ａ  センサーユニット口
１１Ｂ  電源ジャック口
１２    下部ケーシング
２１    モータ駆動軸
２２    引戻しリミットスイッチ
２３    押出しリミットスイッチ
４１    引戻しリミットレバー
４２    押出しリミットレバー
４３    係合孔
４４    係合具
８１    窓枠
８２    係合板
ＳＷ１  電源スイッチ
ＳＷ２  押出し・引戻しスイッチ
ＳＷ３  保守・通常スイッチ
【図１】
0003116166.tif 000003
【図２】
0003116166.tif 000004
【図３】
0003116166.tif 000005
【図４】
0003116166.tif 000006